(57)【特許請求の範囲】
【請求項１】
原稿載置部に載置された原稿を含む予め設定された読取範囲の画像を読取可能な画像読取部と、
前記原稿とは異なる特定部材に予め表記された特定画像が前記画像読取部により読み取られた読取画像に含まれている場合に、前記特定画像が示す画像処理情報に基づく画像処理を前記読取画像に含まれる原稿部分の画像である原稿画像に対して実行可能な画像処理部と、
を備え、
前記読取範囲が、前記原稿載置部に載置された前記原稿の外側の予め設定された外部領域を含み、
前記画像処理部が、前記外部領域に含まれる前記特定画像が示す前記画像処理情報に基づく画像処理を前記原稿画像に対して実行可能であって、
前記原稿と重ね合わせて前記原稿載置部に載置可能であり、且つ、前記原稿と接触する接触領域以外の非接触領域に前記特定画像が形成された特定シートを前記特定部材として備え、
前記特定シートは、前記原稿と接触する一方の面に前記特定画像が形成されており、他方の面に分割態様を示す分割線が形成されている、
画像処理装置。
【請求項２】
前記画像処理部は、前記原稿画像の分割処理及び拡大処理を前記画像処理として実行可能であり、
前記特定画像は、前記画像処理部による前記原稿画像の分割態様及び拡大倍率を含む画像処理情報を示し、
前記画像処理部は、前記原稿画像を前記特定画像に対応する前記分割態様で分割した画像各々を前記拡大倍率で拡大する処理、又は、前記原稿画像を前記特定画像に対応する前記拡大倍率で拡大した画像を前記分割態様で分割する処理を実行することにより複数の画像を生成する請求項１に記載の画像処理装置。
【請求項３】
前記読取画像を記憶する記憶部を更に備え、
前記画像処理部は、予め定められた第１操作に応じて前記記憶部から前記読取画像を読み出し、前記読取画像に含まれる前記特定画像に対応する前記画像処理情報にしたがって、前記読取画像に含まれる前記原稿画像に対する画像処理を行う請求項１又は２に記載の画像処理装置。
【請求項４】
前記記憶部に記憶されている前記読取画像に含まれる前記原稿画像を表示部に表示させることが可能な表示処理部を更に備え、
前記第１操作が、前記表示処理部によって表示されている前記原稿画像のいずれかを選択する操作である請求項３に記載の画像処理装置。
【請求項５】
前記記憶部は、予め定められた第２操作に応じた記憶時間だけ前記読取画像を記憶する請求項３又は４に記載の画像処理装置。
【請求項６】
前記画像処理部による画像処理後の前記原稿画像に基づいて記録シートに形成する画像形成部を更に備える請求項１〜５のいずれかに記載の画像処理装置。
【発明の詳細な説明】
【技術分野】
【０００１】
本発明は、複写機或いは複合機等の画像処理装置に関する。
【背景技術】
【０００２】
印刷条件を示す情報に対応付けられたコードが印刷されたサンプルシートをスキャナで読み取り、そのスキャン画像に基づいて前記印刷条件を取得する画像形成装置が知られている。この画像形成装置は、前記印刷条件に基づいて、記録媒体に格納されている画像の中から選択された画像を記録シートに形成する。（特許文献１参照）。
【先行技術文献】
【特許文献】
【０００３】
【特許文献１】特開２００８−２８７０６号公報
【発明の概要】
【発明が解決しようとする課題】
【０００４】
ところで、原稿の画像を画像処理装置に読み取らせ、得られた原稿画像に対して予め設定された画像処理条件で画像処理を画像処理装置に行わせる場合に、原稿の画像の読み取りとは別に、前記画像処理条件に対応付けられたコードが印刷された前記サンプルシートを前記画像処理装置に読み取らせることが考えられる。
【０００５】
しかしながら、この場合、ユーザーは、前記サンプルシートをスキャナに読み込ませる作業と、原稿をスキャナに読み込ませる作業とを別々に行う必要があり、手間暇がかかる。
【０００６】
本発明の目的は、原稿の画像に所望の画像処理を施した画像を得るための処理を画像処理装置に実行させる際のユーザーの作業負担を低減することが可能な画像処理装置を提供することである。
【課題を解決するための手段】
【０００７】
本発明の一の局面に係る画像処理装置は、画像読取部と、画像処理部とを有する。前記画像読取部は、原稿載置部に載置された原稿を含む予め設定された読取範囲の画像を読取可能である。前記画像処理部は、前記原稿とは異なる特定部材に予め表記された特定画像が前記画像読取部により読み取られた読取画像に含まれている場合に、前記特定画像が示す前記画像処理情報に基づく画像処理を前記読取画像に含まれる前記原稿部分の画像である原稿画像に対して実行可能である。
【発明の効果】
【０００８】
本発明によれば、原稿の画像に所望の画像処理を施した画像を得るための処理を画像処理装置に実行させる際のユーザーの作業負担を低減することが可能な画像処理装置を提供することができる。
【図面の簡単な説明】
【０００９】
【図１】図１は、本発明に係る画像処理装置の第１の実施形態の構成を示す図である。
【図２】図２は、第１の実施形態に係る画像処理装置の構成を示すブロック図である。
【図３】図３は、第１の実施形態における画像処理の説明図である。
【図４】図４（Ａ）〜図４（Ｃ）は、特定シートのバリエーションを示す図、図４（Ｄ）〜図４（Ｆ）は、特定シートと原稿とを重ね合わせた状態を示す図である。
【図５】図５は、第１の実施形態において制御部により実行される複写処理を示すフローチャートである。
【図６】図６は、第２の実施形態に係る画像処理装置の構成を示すブロック図である。
【図７】図７は、第２の実施形態において制御部により実行される記憶制御処理を示すフローチャートである。
【発明を実施するための形態】
【００１０】
以下、図面を参照しながら、本発明に係る画像処理装置の実施形態について説明する。なお、以下に説明される実施形態は本発明を具体化した一例にすぎず、本発明の技術的範囲を限定するものではない。
【００１１】
図１及び図２に示される画像処理装置１は、画像読取機能及び画像形成機能を備える複写機である。なお、本発明に係る画像処理装置は、複写機の他、スキャナー装置、ファクシミリー装置、或いはこれらの機能を有する複合機であることも他の実施形態として考えられる。画像処理装置１は、図１に示されるように、画像読取部２、原稿カバー３、自動原稿送り装置（Ａｕｔｏ  Ｄｏｃｕｍｅｎｔ  Ｆｅｅｄｅｒ；以下、ＡＤＦという）４、画像形成部５、及び給紙部７を備える。また、画像処理装置１は、図２に示されるように、操作表示部６、記憶部８、制御部９及び特定シートＳＴ１を備えている。
【００１２】
画像読取部２は、原稿から画像を読み取る画像読取処理を実行する。画像読取部２は、コンタクトガラス１０、読取ユニット１１、ミラー１２，１３、光学レンズ１４及びＣＣＤ１５などを備えている。読取ユニット１１は、ＬＥＤ光源１６及びミラー１７を備えている。コンタクトガラス１０は、本発明における原稿載置部の一例である。
【００１３】
原稿カバー３は、画像読取部２に回動自在に設けられており、原稿カバー３が回動操作されることにより、画像読取部２の上面のコンタクトガラス１０が開閉される。ＡＤＦ４は、原稿カバー３に設けられており、原稿セット部１９にセットされた一又は複数枚の原稿を複数の搬送ローラーにより順次搬送して、コンタクトガラス１０上に定められた自動原稿読取位置を副走査方向１８へ通過するように原稿を移動させる。
【００１４】
画像読取部２は、コンタクトガラス１０上に載置された各原稿のサイズを検知する複数の原稿サイズセンサー３５（図２参照）を有する。原稿サイズセンサー３５各々は、画像読取部２の筐体内部において主走査方向及び副走査方向に異なる位置に配置されている。原稿サイズセンサー３５は、コンタクトガラス１０を通してコンタクトガラス１０に載置された原稿に光を照射し、その照射光の原稿による反射光を受光して制御部９に出力する。制御部９は、前記反射光を受光した旨を示す受光信号を出力した原稿サイズセンサー３５の組み合わせに基づいて、原稿の主走査方向及び副走査方向における端部の位置を検出し、これにより原稿サイズを検出する。制御部９は、例えば原稿サイズセンサー３５のいずれかによりコンタクトガラス１０に原稿が載置されたことが検出されたときに原稿サイズの検出処理を実行する。また、原稿カバー３の開度を検出する不図示の開閉センサーが設けられており、制御部９が前記開閉センサーの検出結果に基づいて原稿カバー３が閉じられる直前に前記原稿サイズの検出処理を実行してもよい。
【００１５】
画像読取部２は、コンタクトガラス１０上に載置された原稿の画像、及び、ＡＤＦ４により搬送される原稿の画像を読み取ることが可能である。画像読取部２は、コンタクトガラス１０上に載置された原稿の画像を読み取る場合、原稿サイズセンサー３５の出力信号等に基づいて設定される距離だけ読取ユニット１１を副走査方向１８へ移動させつつＬＥＤ光源１６から連続して順次１ライン分の光を照射する。そして、画像読取部２は、原稿又は原稿カバー３の裏面からの反射光をミラー１７，１２，１３及び光学レンズ１４を介してＣＣＤ１５で受光し、ＣＣＤ１５により受光した光量に応じた画像信号を順次制御部９に出力する。
【００１６】
また、画像読取部２は、ＡＤＦ４により搬送される原稿の画像を読み取る場合、前記自動原稿読取位置の下方に読取ユニット１１を配置させ、この位置でＬＥＤ光源１６から連続して順次１ライン分の光を照射する。原稿からの反射光に基づいて前記画像信号を生成する点については、コンタクトガラス１０上に載置された原稿の画像を読み取る場合と同様である。
【００１７】
画像形成部５は、電子写真方式の画像形成部であり、画像読取部２で読み取られた画像信号に基づいて画像形成処理を実行する。画像形成部５は、感光体ドラム２０、帯電部２１、現像部２２、トナーコンテナ２３、転写ローラー２４、除電部２５、露光部２６、及び定着部２７などを備えている。
【００１８】
操作表示部６は、表示部２９と操作部３０とを有する。表示部２９は、例えばカラー液晶ディスプレイなどを有し、操作表示部６を操作するユーザーに対して各種の情報を表示する。操作部３０は、表示部２９に隣接配置された各種の押しボタンキー及び表示部２９の表示画面上に配置されるタッチパネルセンサーなどを有する。なお、操作表示部６は、ユーザーにより画像読取処理などの各種処理の実行指示の操作がなされると、その操作内容を示す操作信号を制御部９に出力する。
【００１９】
ところで、原稿の画像を画像処理装置に読み取らせ、得られた原稿画像に対して予め設定された画像処理条件で画像処理を画像処理装置に行わせる場合に、原稿の画像の読み取りとは別に、前記画像処理条件に対応付けられたコードが印刷されたサンプルシートを画像処理装置に読み取らせることが考えられる。しかしながら、この場合、ユーザーは、前記サンプルシートをスキャナに読み込ませる作業と、原稿をスキャナに読み込ませる作業とを別々に行う必要があり、手間暇がかかる。これに対し、本実施形態に係る画像処理装置１では、原稿の画像に所望の画像処理を施した画像を得るための処理を画像処理装置１に実行させる際のユーザーの作業負担が低減可能である。
【００２０】
特定シートＳＴ１は、例えば図３に示されるように、Ａ４サイズなどの予め定められたサイズの原稿Ｅ１よりも大きなサイズの矩形の透明なフィルム部材である。なお、図３には、原稿Ｅ１及び特定シートＳＴ１をコンタクトガラス１０側から見た状態が示されている。特定シートＳＴ１は、原稿Ｅ１の画像の読取前に、コンタクトガラス１０に載置された原稿Ｅ１の上に載置される。具体的に、原稿Ｅ１の１つの頂点Ｑ１と特定シートＳＴ１の頂点Ｐ１とがコンタクトガラス１０の予め定められた基準位置に位置合わせされた状態で、特定シートＳＴ１は原稿Ｅ１と重ね合わせられる。
【００２１】
このように特定シートＳＴ１と原稿Ｅ１とが重ね合わせられた状態において、特定シートＳＴ１のうち原稿Ｅ１と接触しないで原稿Ｅ１からはみ出る外部領域（非接触領域）Ｈ１（図３のハッチング領域）には特定画像Ｍ１が形成されている。特定画像Ｍ１は、画像処理について予め定められた画像処理情報に対応するバーコードである。なお、特定画像Ｍ１は、例えばＱＲコード（登録商標）のような二次元バーコードであってもよい。また、特定画像Ｍ１は、文字、図形、記号及び色彩のうちの１又は複数によって構成される画像であることが他の実施形態として考えられる。また、本実施形態では、特定画像Ｍ１は、原稿Ｅ１と接触する側の面に形成されているが、原稿Ｅ１と接触しない側の面に形成されている実施形態も他の実施形態として考えられる。特定シートＳＴ１は、本発明における特定部材の一例である。
【００２２】
図４（Ａ）〜図４（Ｃ）は、特定シートＳＴ１のバリエーションＳＴ１１、ＳＴ２１、ＳＴ３１を示している。これらの特定シートＳＴ１１、ＳＴ２１、ＳＴ３１各々には、互いに異なる特定画像Ｍ１１、Ｍ１２、Ｍ１３が形成されており、特定画像Ｍ１１、Ｍ１２、Ｍ１３は、互いに異なる画像処理情報と対応付けられている。このように、画像処理装置１では、画像処理情報ごとに対応する特定シートＳＴ１が用意されている。なお、図４（Ｄ）〜図４（Ｆ）は、これらの特定シートＳＴ１１、ＳＴ２１、ＳＴ３１と原稿Ｅ１１、Ｅ１２、Ｅ１３（ハッチング部分）とが重ね合わせられた状態を示している。
【００２３】
前記画像処理は、本実施形態では、原稿画像を分割する分割処理及び分割した画像各々を拡大する拡大処理であり、前記画像処理情報は、前記分割処理の分割態様及び前記拡大処理における拡大倍率である。前記原稿画像とは、描画像だけでなく白紙部分の画像も含む原稿全体の画像である。図３に示す例は、原稿Ｅ１２の原稿画像を縦横それぞれ２分割し、その分割画像を縦横それぞれ２倍に拡大するという画像処理情報を示している。又は、図３に示す例は、原稿Ｅ１２の原稿画像を縦横それぞれ２倍に拡大し、その拡大画像を縦横それぞれ２分割する処理という画像処理情報を示している。
【００２４】
図３に示されるように、特定シートＳＴ１には、前記分割態様を示す分割線Ｌ１が形成されている。これにより、ユーザーは、前記原稿画像が分割された状態をイメージしやすくなる。なお、原稿の読み取り時にＬＥＤ光源１６から光が照射された場合に分割線Ｌ１の画像が透けて読み取られるのを抑制するため、本実施形態では、分割線Ｌ１の画像は、原稿Ｅ１と接触しない側の面に形成されている。ただし、分割線Ｌ１が原稿Ｅ１と接触しない側の面に形成されている実施形態も他の実施形態として考えられる。また、分割線Ｌ１が明度の高い色で形成されること、或いは、細線で形成されることも他の実施形態として考えられる。
【００２５】
また、このような分割線Ｌ１が形成される特定シートＳＴ１は、重ね合わせられる原稿のサイズごとに設けられることも考えられる。ただし、特定シートＳＴ１を原稿のサイズごとに設けると特定シートＳＴ１の枚数（種類）が多くなる場合には、各サイズの原稿についての分割線Ｌ１を１枚の特定シートＳＴ１に形成することが考えられる。この場合、分割線Ｌ１を、原稿のサイズごとに、明度、太さ、線種などによって視覚的に識別可能に形成することが考えられる。
【００２６】
記憶部８は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ：登録商標）等の不揮発性メモリー又はハードディスクなどである。記憶部８には、特定シートＳＴ１に形成される特定画像Ｍ１と前記画像処理情報との対応関係が予め記憶されている。
【００２７】
制御部９は、ＣＰＵ、ＲＯＭ、及びＲＡＭなどを有するマイクロコンピューターである。制御部９の前記ＲＯＭには、制御部９の前記ＣＰＵに各種処理を実行させるための処理プログラムが記憶されており、制御部９は、画像処理装置１を統括的に制御する。
【００２８】
具体的に、制御部９は、前記ＣＰＵを用いてプログラムを実行することにより、画像処理部９１として機能する。なお、制御部９が有する機能の一部又は複数が電子回路として設けられる構成も他の実施形態として考えられる。
【００２９】
制御部９は、後述する分割拡大モードが有効に設定されている場合に、コンタクトガラス１０に載置された原稿Ｅ１よりも大きな予め設定された特定シートＳＴ１に対応する読取範囲の画像を画像読取部２に読み取らせる。そして、画像処理部９１は、このような画像読取部２による読取動作によって読み取られた読取画像における外部領域Ｈ１に、特定シートＳＴ１の特定画像Ｍ１が含まれている場合に、特定画像Ｍ１が示す前記画像処理情報に基づく画像処理を前記読取画像に対して実行可能である。前記画像処理は、本実施形態では前記分割処理及び前記拡大処理である。
【００３０】
次に、図５を用いて、制御部９によって実行される複写処理について説明する。なお、図５のフローチャートにおいてステップＳ５０１、Ｓ５０２、・・・は処理手順（ステップ番号）を表している。図５のフローチャートで示される複写処理は、画像処理装置１の主電源がオンされた場合に制御部９の画像処理部９１によって実行される。
【００３１】
＜ステップＳ５０１＞
ステップＳ５０１において、制御部９は、前記分割拡大モードを有効に設定する旨の第１操作信号を操作表示部６から受信したか否かを判定する。制御部９は、前記第１操作信号を操作表示部６から受信していないと判定した場合には（ステップＳ５０１でＮＯ）、処理をステップＳ５０３に進める。一方、制御部９は、前記第１操作信号を操作表示部６から受信したと判定した場合には（ステップＳ５０１でＹＥＳ）、処理をステップＳ５０２に進める。
【００３２】
＜ステップＳ５０２＞
ステップＳ５０２において、制御部９は、分割拡大モードフラグをオンに設定する。なお、制御部９は、当該複写処理の終了時、又は前記分割拡大モードフラグを無効に設定するための操作が行われた場合に前記分割拡大モードフラグをオフに設定する。
【００３３】
＜ステップＳ５０３＞
ステップＳ５０３において、制御部９は、複写を開始する指示を示す第２操作信号を操作部３０から受信したか否かを判定する。制御部９は、前記第２操作信号を受信していないと判定した場合には（ステップＳ５０３でＮＯ）、処理をステップＳ５０１に戻す。一方、制御部９は、前記第２操作信号を受信したと判定した場合には（ステップＳ５０３でＹＥＳ）、処理をステップＳ５０４に進める。
【００３４】
＜ステップＳ５０４＞
ステップＳ５０４において、制御部９は、前記分割拡大モードフラグがオンであるか否かを判定する。制御部９は、前記分割拡大モードフラグがオフであると判定した場合には（ステップＳ５０４でＮＯ）、処理をステップＳ５０５に進める。一方、制御部９は、前記分割拡大モードフラグがオンであると判定した場合には（ステップＳ５０４でＹＥＳ）、処理をステップＳ５０６に進める。
【００３５】
＜ステップＳ５０５＞
ステップＳ５０５において、制御部９は、通常の複写動作を画像読取部２及び画像形成部５に実行させる。すなわち、制御部９は、原稿サイズセンサー３５を用いて検出された原稿Ｅ１のサイズ分の読取範囲の画像を読み取る読取動作を画像読取部２に実行させる。そして、制御部９は、前記読取動作によって得られた画像を記録シートに形成する処理を画像形成部５に実行させる。
【００３６】
＜ステップＳ５０６＞
ステップＳ５０６において、制御部９は、原稿サイズセンサー３５を用いて検出された原稿Ｅ１のサイズに応じて予め定められた読取範囲に対する読取動作を画像読取部２に実行させる。この読取範囲は、原稿Ｅ１のサイズよりも大きな読取範囲である。制御部９は、この読取動作によって得られた読取画像を前記ＲＡＭに格納する。前記読取画像には、原稿画像と外部領域Ｈ１（図３参照）の画像に対応する原稿外画像とが含まれる。
【００３７】
＜ステップＳ５０７＞
ステップＳ５０７において、制御部９は、前記読取画像から原稿画像を抽出する。具体的には、制御部９は、前記読取画像のうち、コンタクトガラス１０の予め定められた前記基準位置に対応する前記読取画像の角の位置を基準とする前記サイズ分の領域の画像を前記原稿画像として抽出する。
【００３８】
＜ステップＳ５０８＞
ステップＳ５０８において、制御部９は、前記原稿外画像に特定画像Ｍ１が含まれているか否かを解析する。すなわち、制御部９は、記憶部８に格納されているいずれかの特定画像Ｍ１と一致する画像が原稿外画像に含まれているか否かを判定する。なお、制御部９は、前記原稿外画像に存在するバーコード等を読み取り、そのバーコード等に対応する情報に特定画像Ｍ１である旨を示す識別情報が含まれている場合に前記原稿外画像に特定画像Ｍ１が含まれていると判断してもよい。また、この場合には、制御部９は、前記原稿外画像でなく前記読取画像全体について特定画像Ｍ１の有無を判定することも考えられる。
【００３９】
＜ステップＳ５０９＞
ステップＳ５０９において、制御部９は、特定画像Ｍ１を検出したと判定した場合には（ステップＳ５０９でＹＥＳ）、処理をステップＳ５１０に進める。一方、制御部９は、特定画像Ｍ１を検出しなかったと判定した場合には（ステップＳ５０９でＮＯ）、処理をステップＳ５１２に進める。
【００４０】
＜ステップＳ５１０＞
ステップＳ５１０において、制御部９は、記憶部８に記憶されている特定画像Ｍ１と画像処理情報との対応関係に基づいて特定画像Ｍ１が示す画像処理情報を特定し、その画像処理情報に基づいて原稿画像に画像処理を実行する。例えば図３に示されるように、特定画像Ｍ１が、縦横それぞれ２分割した分割画像各々を縦横それぞれ２倍に拡大した複数の拡大画像Ｐ１〜Ｐ４を生成するという画像処理を示す画像処理情報に対応付けられたものであった場合には、制御部９は、その画像処理を実行する。なお、特定画像Ｍ１に対応する画像処理情報に特定画像Ｍ１の種別を識別するための情報が含まれており、記憶部８に特定画像Ｍ１の種別毎に対応する画像処理情報が記憶されていることが考えられるが、特定画像Ｍ１に前記画像処理情報が含まれていてもよい。
【００４１】
＜ステップＳ５１１＞
ステップＳ５１１において、制御部９は、前記ステップＳ５１０における前記画像処理の実行後の画像（図３に示される例では画像Ｐ１〜Ｐ４各々）を記録シートに形成する。図３に示される例では、前記画像処理によって形成される４つの画像Ｐ１〜Ｐ４が４枚の記録シートに分けて個別に形成されている。
【００４２】
＜ステップＳ５１２＞
ステップＳ５１２において、制御部９は、ステップＳ５０７で抽出した前記原稿画像を１枚の記録シートに形成する処理を画像形成部５に実行させる。なお、前記ステップＳ５１２が実行される場合は、前記分割拡大モードが有効に設定されているが、特定画像Ｍ１が検出されなかった場合であるため、制御部９は、前記ステップＳ５１２において、予め設定された注意メッセージなどによって特定画像Ｍ１が検出されなかった旨を報知してもよい。
【００４３】
以上のように、予め設定された画像処理情報に対応付けられた特定画像Ｍ１が形成された特定シートＳＴ１を原稿と重ね合わせ、それらを画像読取部２に読み取らせるだけで、前記画像処理情報にしたがって前記画像処理が実行された画像が得られる。これにより、画像処理装置１では、前記原稿画像に対する前記画像処理を画像処理装置１に実行させる際のユーザーの作業負担が低減される。
【００４４】
ところで、特定画像Ｍ１が形成される特定部材は、特定シートＳＴ１に限定されず、例えば、２つのフィルム部を有するクリアファイル状の部材であることも他の実施形態として考えられる。なお、この場合において、２つのフィルム部を互いに接合する所定幅の接合部があるときには、コンタクトガラス１０上における原稿Ｅ１の位置が前記所定幅の分だけその幅方向にずれる。したがって、画像処理部９１は、前記第１の実施形態の場合に対して、前記幅方向に前記所定幅の分だけ、原稿画像として前記読取画像から抽出する位置をずらす。
【００４５】
また、前記特定部材は、前述のようなフィルム状のものに限定されず、例えば、小片状（タグ状）の部材であることも他の実施形態として考えられる。この構成においては、前記特定部材が原稿に重ねられる場合であっても、特定部材に形成されている特定画像Ｍ１を読取画像から検出することは可能である。したがって、画像処理装置１が例えば前記分割拡大モードである場合において、原稿Ｅ１よりも大きな読取範囲の画像を画像読取部２に読み取らせる第１モードの他、原稿Ｅ１と同じサイズの読取範囲の画像を画像読取部２に読み取らせる第２モードが選択可能に設けられてもよい。前記第２モードの場合、読取画像は原稿画像と一致し、前記原稿画像の抽出処理は不要となる。なお、前記原稿画像内に前記特定部材が存在する場合には、制御部９が前記原稿画像から前記特定部材に形成されている特定画像Ｍ１を消去することも考えられる。
【００４６】
前記原稿のサイズを検出する方法として、原稿サイズセンサー３５を用いる方法の他、次のような方法も他の実施形態として考えられる。すなわち、制御部９は、例えばコンタクトガラス１０が原稿カバー３によって閉じられる直前に、原稿等を副走査方向１８へ所定量だけ走査するプレスキャンを読取ユニット１１に行わせる。これによって得られる読取画像においては、原稿画像と原稿外画像との間に濃度差が生じているため、原稿画像と原稿外画像との境界（エッジ）が検出可能であり、この境界に基づいて、原稿のサイズを検出することが可能である。また、操作部４０を用いて原稿のサイズを事前に入力することをユーザーに要求する構成においては、原稿画像のサイズを検出する処理を省略することが可能である。さらに、特定シートＳＴ１が原稿のサイズごとに用意される場合であって、原稿のサイズを前記画像処理情報に含める場合も、特定画像Ｍ１に基づいて原稿のサイズが判別可能となるため、原稿画像のサイズを検出する処理を省略することが可能である。
【００４７】
（第２の実施形態）
本実施形態に係る画像処理装置１は、第１の実施形態に係る画像処理装置１に、前記読取画像が再度利用可能となるように記憶部８に格納する機能を追加したものである。本実施形態に係る画像処理装置１のうち、前記第１の実施形態に係る画像処理装置１と共通する構成については説明を省略する。
【００４８】
本実施形態において、制御部９は、画像読取部２により読み取られた読取画像を予め設定された記憶時間だけ記憶部８に記憶させ、前記記憶時間の経過後に前記読取画像を記憶部８から消去する。前記記憶時間は、各読取画像で同じであってもよいが、制御部９が、予め定められた第２操作により前記読取画像ごとに前記記憶時間が設定可能であることが考えられる。この場合、前記原稿画像の利用頻度等に応じて記憶部８から消去されるまでの時間を変えることができる。
【００４９】
具体的に、制御部９は、前記ＣＰＵを用いてプログラムを実行することにより、表示処理部９２として機能する。表示処理部９２は、記憶部８に記憶されている前記読取画像に含まれる前記原稿画像を表示部２９に表示させることが可能である。なお、表示処理部９２が記憶部８に記憶されている前記読取画像全体を表示部２９に表示させる実施形態も他の実施形態として考えられる。
【００５０】
一方、画像処理部９１は、表示処理部９２により表示部２９に表示される一又は複数の前記原稿画像のいずれかを選択する第１操作に応じて、その選択された前記原稿画像に対応する前記読取画像を記憶部８から読み出す。そして、画像処理部９１は、前記読取画像に含まれる特定画像Ｍ１に対応する画像処理情報に基づいて前記読取画像に対する画像処理を行う。
【００５１】
次に、図７を用いて、制御部９によって実行される記憶制御処理について説明する。なお、図７のフローチャートにおいてステップＳ７０１、Ｓ７０２、・・・は処理手順（ステップ番号）を表す。図７のフローチャートで示される前記記憶制御処理は、図５に示される前記画像処理のステップＳ５１１の後に画像処理部９１によって実行される。
【００５２】
なお、本実施形態では、制御部９は、ステップＳ５０３において前記第２操作信号を受信していないと判定した場合には（ステップＳ５０３でＮＯ）、処理をステップＳ５０１に戻すのではなく、前記記憶制御処理のステップＳ７０２以後の処理を実行する。また、制御部９は、ステップＳ５０５、Ｓ５１２の処理後、処理をステップＳ５０１に戻すのではなく、ステップＳ７０２に進める。また、前記読取動作によって得られた読取画像を記憶部８に格納する処理は、ステップＳ５０６において制御部９により実行される。
【００５３】
＜ステップＳ７０１＞
図７に示されるように、ステップＳ７０１において、制御部９は、ステップＳ５０６において記憶部８に格納された読取画像が記憶部８に記憶される時間の計時を開始する。
【００５４】
＜ステップＳ７０２＞
ステップＳ７０２において、制御部９は、計時を開始してから予め設定された記憶時間が経過した読取画像が存在するか否かを判定する。制御部９は、前記予め設定された記憶時間が経過した読取画像が存在しないと判定した場合には（ステップＳ７０２でＮＯ）、処理をステップＳ７０３に進める。一方、制御部９は、前記予め設定された記憶時間が経過した読取画像が存在すると判定した場合には（ステップＳ７０２でＹＥＳ）、処理をステップＳ７０８に進める。
【００５５】
なお、制御部９が、ステップＳ７０１において、前記画像処理で読み取られた前記読取画像に対応付けて前記画像処理の実行日時を記憶部８に記憶することが考えられる。この場合、制御部９は、ステップＳ７０２において、前記読取画像各々に対応する前記実行日時と現在日時との差分に基づいて前記読取画像各々について前記記憶時間の経過の有無を判断することが可能である。
【００５６】
＜ステップＳ７０３＞
ステップＳ７０３において、制御部９は、記憶部８に格納されている読取画像の中から読取画像を指定する第１操作が行われたか否かを判定する。なお、前記第１操作は、記憶部８に格納されている１又は複数の読取画像各々における原稿画像のサムネイル画像の一覧の中からジョブ対象の原稿画像のサムネイル画像を不図示のタッチパネルによって選択する操作であることが考えられる。或いは、前記第１操作は、記憶部８に格納されている１又は複数の読取画像のファイル名の一覧の中からジョブ対象の読取画像のファイル名を前記タッチパネルによって選択する操作であることが考えられる。前記サムネイル画像の一覧又はファイル名の一覧は、前記分割拡大モードに設定されたとき、或いは、読取画像が記憶部８に格納されたときなどに表示部２９に表示される。制御部９は、前記第１操作が行われていないと判定した場合には（ステップＳ７０３でＮＯ）、処理をステップＳ５０１に戻す。一方、制御部９は、前記第１操作が行われたと判定した場合には（ステップＳ７０３でＹＥＳ）、処理をステップＳ７０４に進める。
【００５７】
＜ステップＳ７０４＞
ステップＳ７０４において、制御部９は、前記第１操作によって指定された読取画像に含まれる原稿画像を表示部２９に表示させる。この処理は、表示処理部９２により行われる。
【００５８】
＜ステップＳ７０５＞
ステップＳ７０５において、制御部９は、ジョブの実行を指示する操作が行われたか否かを判定する。制御部９は、ジョブの実行を指示する操作が行われたと判定した場合には（ステップＳ７０５でＹＥＳ）、処理をステップＳ７０６に進める。一方、制御部９は、ジョブの実行を指示する操作が行われていないと判定した場合には（ステップＳ７０５でＮＯ）、処理をステップＳ７０７に進める。
【００５９】
＜ステップＳ７０６＞
ステップＳ７０６において、制御部９は、表示部２９に表示されている原稿画像についてのジョブを画像処理装置１の各部に行わせる。そして、制御部９は、処理をステップＳ５０１に戻す。
【００６０】
＜ステップＳ７０７＞
ステップＳ７０７において、制御部９は、ジョブの実行指示を取り消すキャンセル操作が行われたか否かを判定する。制御部９は、前記キャンセル操作が行われていないと判定した場合には（ステップＳ７０７でＮＯ）、再度ステップＳ７０５の処理を実行する。一方、制御部９は、前記キャンセル操作が行われたと判定した場合には（ステップＳ７０７でＹＥＳ）、処理をステップＳ５０１に戻す。
【００６１】
＜ステップＳ７０８＞
ステップＳ７０８において、制御部９は、前記ステップＳ７０２で前記記憶時間が経過していると判定された前記読取画像を記憶部８から消去する。そして、制御部９は、処理をステップＳ５０１に戻す。
【００６２】
以上のように、制御部９は、前記読取画像を記憶部８に格納し、予め定められた第１操作に応じて記憶部８から前記読取画像を読み出す。そして、制御部９は、前記読取画像に含まれる特定画像Ｍ１に対応する前記画像処理情報にしたがって、前記読取画像に含まれる前記原稿画像に対する画像処理を行う。これにより、一度得られた前記読取画像を容易に再度利用することが可能となり、原稿の読取動作を画像処理装置１に再度実行させる必要が無くなる。これにより、画像処理装置１の利便性を向上させることができる。
【００６３】
また、ジョブ対象の原稿画像をユーザーに選択させるに際し、記憶部８に記憶されている前記読取画像に含まれる前記原稿画像を表示部２９に表示させるので、ユーザーは、ジョブ対象の原稿画像を見つけ易くなり、画像処理装置１の利便性を向上させることができる。
【符号の説明】
【００６４】
１：画像処理装置
２：画像読取部
５：画像形成部
８：記憶部
９１：画像処理部
９２：表示処理部
ＳＴ１：特定シート
【図１】
0006365446.tif 000002
【図２】
0006365446.tif 000003
【図３】
0006365446.tif 000004
【図４】
0006365446.tif 000005
【図５】
0006365446.tif 000006
【図６】
0006365446.tif 000007
【図７】
0006365446.tif 000008